(57)【要約】      （修正有）【課題】コンパクトに構成しても天板に対する脚の強固な取付を実現したテーブルを提供する。【解決手段】天板１に設けられた凹部１２と、この凹部１２に挿入すべく脚に設けられた突部２２と、この突部２２を凹部１２内に固定するための固定機構とを備えてなるテーブルであって、固定機構が、突っ張り部材１３０を備えたものであり、突っ張り部材１３０が、被摺接面１２ｄと被押圧面２２ｄとの間で突っ張って突部２２を凹部１２内に固定するロック状態（Ｐ）と、その突っ張り姿勢を解消して突部２２の凹部１２からの離脱を許容するロック解除状態とを選択的に取り得るように構成されている。【選択図】図１１
2014100189.tif 000002
【特許請求の範囲】
【請求項１】
天板に設けられた凹部と、この凹部に挿入すべく脚に設けられた突部と、この突部を前記凹部内に固定するための固定機構とを備えてなるテーブルであって、
前記凹部が、互いに対向しその対向間隔が開口端側に向かって漸次広くなるように外向き傾斜させた対をなす嵌合用内側面と、互いに対向し少なくとも一方を内向き傾斜させた対をなす締付用内側面とを備えたものであり、
前記突部が、互いに対向する辺に設けられ前記嵌合用内側面にテーパ係合する対をなす嵌合用外側面と、互いに対向する辺に設けられ一方が前記凹部の内向き傾斜した一方の締付用内側面に密接可能な対をなす締付用外側面とを備えたものであり、
前記固定機構が、前記凹部の他方の締付用内側面と前記突部の他方の締付用外側面との間に配設された突っ張り部材を備えたものであり、この突っ張り部材が、前記他方の締付用内側面と前記他方の締付用外側面との間で突っ張って前記突部を前記凹部内に固定するロック状態と、その突っ張り姿勢を解消して前記突部の前記凹部からの離脱を許容するロック解除状態とを選択的に取り得るように構成されていることを特徴とするテーブル。
【請求項２】
前記突っ張り部材が、前記他方の嵌合用外側面に接し得るときは常に前記他方の締付用内側面に接している請求項１記載のテーブル。
【請求項３】
前記突っ張り部材が、前記ロック状態から前記ロック解除状態に至るまで常に前記他方の締付用内側面に接しながら動作する摺接面と、前記ロック解除状態で前記他方の締付用外側面から退避する退避面と、前記ロック状態で前記他方の締付用外側面を押圧する押圧面とを有している請求項１又は２記載のテーブル。
【請求項４】
前記退避面と前記押圧面との間に前記ロック解除状態から前記ロック状態へ動作するに従って前記他方の締付用外側面を漸次押圧する移行面を有している請求項３記載のテーブル。
【請求項５】
前記突っ張り部材が、回転動作により前記他方の締付用内側面と前記他方の締付用外側面との間で突っ張り動作するものである請求項１、２、３又は４記載のテーブル。
【請求項６】
前記突っ張り部材が、当該突っ張り部材自体の最外縁において外方に突出する操作端を有する操作レバーを有するものであり、
前記ロック状態で前記操作端が回転中心から天板内方に向かって位置付けられる請求項５記載のテーブル。
【請求項７】
前記嵌合用外側面が、前記天板からの荷重を前記嵌合用内側面を介して受けるようにしている請求項１、２、３、４、５又は６記載のテーブル。
【請求項８】
前記脚が、脚本体と、脚本体に取り付けられ天板からの荷重を受ける天板受け面を有する天板支持部材と、この天板支持部材の上部に取り付けられた前記突部とを有するものであり、
前記天板支持部材が前記天板の隅部を前記天板受け面に支持させた前記ロック状態で前記天板の外側面から脚本体上部の外側面に亘って連続する連続面を有している請求項１、２、３、４、５、６又は７記載のテーブル。
【請求項９】
天板が前記凹部と、前記凹部を取り付けるために凹陥させた凹部取付部を有する天板本体とを有するものであり、
前記天板支持部材が前記凹部及び前記天板本体からの荷重をそれぞれ受けるものである請求項８記載のテーブル。
【発明の詳細な説明】
【技術分野】
【０００１】
本発明は、オフィス等で好適に用いられるテーブルに関するものである。
【背景技術】
【０００２】
従来、オフィス等において好適に用いられるテーブルの中には、オフィスのレイアウトを頻繁に変更し、或いはオフィスの空間自体をときには広く有効に使うことを目的として、レイアウトの変更を行い易くしたものが種々提案されている(例えば、特許文献１参照)。
【０００３】
この特許文献１に記載のものは、天板から脚を容易に取り外すことができるのみならず、天板に対する脚の配置を変更することにより、同種または異なる大きさをなす他の天板にまたがって脚を取り付けて天板同士を連結し、天板上のスペースを広く有効に利用し得るものとなっている。
【０００４】
また上記の通り、オフィスの空間自体を広く使うためには、テーブル自体をコンパクトにして撤収することも選択枝として考えられる。このようなテーブルの撤収作業を素早く簡単に行なうことを考えると、天板に対する脚の取付作業を迅速に行い得るものの方が望ましい。
【０００５】
ここで、天板に限らず部材同士の連結及び連結の解除を容易に行い得る構造としては、一般に、カメラに対する三脚に用いられる構造のようなものが挙げられる（例えば、特許文献２参照）。
【０００６】
上記特許文献２に記載のものは、カメラつまり被支持体にあらかじめ所定形状の着脱部を取り付けておき、この着脱部に対し、三脚の本体つまり支持体に対して押圧固定する操作部分を設け、この操作部分に対する単純な操作のみで被支持体の着脱を容易に行い得るものである。
【０００７】
しかしながらかかる構造ではカメラ等の被支持体の支持強度が、前記着脱部を押圧する前記操作部分自体の強度のみならず、組み付け強度にも直接的に依存する。すなわち、テーブルに対して上記特許文献２の如き構造を適用しようとすると、この操作部分を組み付け強度を天板に掛かる荷重や外力に耐え得るまで高めなければならず、そうなると、かかる構造自体の大型化が避けられない。その結果、かかる構造を適用したのではテーブルをコンパクトに構成することができないという不具合を招来してしまう。
【先行技術文献】
【特許文献】
【０００８】
【特許文献１】特開２００６−１０１９３９号公報
【特許文献２】特開２００７−２５６８９３号公報
【発明の概要】
【発明が解決しようとする課題】
【０００９】
本発明は、上述したような点に着目したものであり、コンパクトに構成しても天板に対する脚の強固な取り付けを実現したテーブルを提供することを目的としている。
【課題を解決するための手段】
【００１０】
本発明は、このような目的を達成するために、次のような手段を講じたものである。
【００１１】
すなわち本発明に係るテーブルは、天板に設けられた凹部と、この凹部に挿入すべく脚に設けられた突部と、この突部を前記凹部内に固定するための固定機構とを備えてなるテーブルであって、前記凹部が、互いに対向しその対向間隔が開口端側に向かって漸次広くなるように外向き傾斜させた対をなす嵌合用内側面と、互いに対向し少なくとも一方を内向き傾斜させた対をなす締付用内側面とを備えたものであり、前記突部が、互いに対向する辺に設けられ前記嵌合用内側面にテーパ係合する対をなす嵌合用外側面と、互いに対向する辺に設けられ一方が前記凹部の内向き傾斜した一方の締付用内側面に密接可能な対をなす締付用外側面とを備えたものであり、前記固定機構が、前記凹部の他方の締付用内側面と前記突部の他方の締付用外側面との間に配設された突っ張り部材を備えたものであり、この突っ張り部材が、前記他方の締付用内側面と前記他方の締付用外側面との間で突っ張って前記突部を前記凹部内に固定するロック状態と、その突っ張り姿勢を解消して前記突部の前記凹部からの離脱を許容するロック解除状態とを選択的に取り得るように構成されていることを特徴とする。
【００１２】
このようなものであれば、ロック状態としたとき突部を凹部に固定する構成要素の取付強度や組み付け強度を不要に強固とする必要がなくとも、突っ張り部材自体に強度があれば突っ張りによりロック状態での強固な係り合いが担保される。その結果、簡素な構造であっても脚の強固な取り付けを実現したテーブルを提供することができる。
【００１３】
ロック状態とロック解除状態との間の操作時は常に突っ張り部材の取付箇所が外力や操作時の負荷に対して強くなるような構成とするためには、前記突っ張り部材が、前記他方の嵌合用外側面に接し得るときは常に前記他方の締付用内側面に接しているようにすることが望ましい。
【００１４】
外力や操作時に掛かる負荷に対して強度の高い突っ張り部材の具体的な構成としては、前記突っ張り部材が、前記ロック状態から前記ロック解除状態に至るまで常に前記他方の締付用内側面に接しながら動作する摺接面と、前記ロック解除状態で前記他方の締付用外側面から退避する退避面と、前記ロック状態で前記他方の締付用外側面を押圧する押圧面とを有している構成を挙げることができる。
【００１５】
またロック状態とロック解除状態との間の操作時に急に負荷が掛かることを回避するためには、前記退避面と前記押圧面との間に前記ロック解除状態から前記ロック状態へ動作するに従って前記他方の締付用外側面を漸次押圧する移行面を設けることが好ましい。
【００１６】
上記の構成をより簡素な構成とし且つ動作の精度をより高く実現するためには、前記突っ張り部材が、回転動作により前記他方の締付用内側面と前記他方の締付用外側面との間で突っ張り動作する態様のものを挙げることができる。
【００１７】
少ない力で前記突っ張り部材が操作可能で、且つ外部からの衝撃により不意にレバーが動いてしまうことを回避するためには、この突っ張り部材自体の最外縁において外方に突出する操作端を有する操作レバーを設け、前記ロック状態で前記操作端を回転中心から天板内方に向かって位置付けておくことが好ましい。
【００１８】
また脚と天板との組み付け強度をより高く支持するとともに、天板の荷重に対する強度を有効に向上させるためには、前記嵌合用外側面を、前記天板からの荷重を前記嵌合用内側面を介して受けるようにしておくことが好ましい。
【００１９】
上記の構成に加え、前記脚が、脚本体と、脚本体に取り付けられ天板からの荷重を受ける天板受け面を有する天板支持部材と、この天板支持部材の上部に取り付けられた前記突部とを有するものである場合、脚が天板をより強固に支持し得るようにするためには、前記天板支持部材が前記天板の隅部を前記天板受け面に支持させた前記ロック状態で前記天板の外側面から脚本体上部の外側面に亘って連続する連続面を設けておくことが望ましい。このようなものであれば、より大きな面積で天板を支持し得る脚を構成できる。
【００２０】
天板が前記凹部と、前記凹部を取り付けるために凹陥させた凹部取付部を有する天板本体とを有するものである場合、天板からの荷重の局所への集中を避けるためには、前記天板支持部材が前記凹部及び前記天板本体からの荷重をそれぞれ受けるものとすることが好ましい。
【発明の効果】
【００２１】
本発明によれば、コンパクトに構成しても天板に対する脚の強固な取り付けを実現したテーブルを提供することができる。
【図面の簡単な説明】
【００２２】
【図１】本発明の一実施形態に係る斜視図。
【図２】同正面図。
【図３】同底面図。
【図４】同実施形態に係る要部の外観図。
【図５】同上。
【図６】同実施形態に係る要部の底面図。
【図７】同実施形態に係る他の要部の外観図。
【図８】同実施形態に係る要部の構成説明図。
【図９】同実施形態に係る作用説明図。
【図１０】同上。
【図１１】図６に係るＡ−Ａ線端面図。
【図１２】同Ｂ−Ｂ線端面図。
【発明を実施するための形態】
【００２３】
以下、本発明の一実施の形態について図面を参照して説明する。
【００２４】
本実施形態に係るテーブルは、図１〜図１２に示すように、例えばオフィス等に好適に用いられるものである。かかるテーブルは、矩形状の天板１と、この天板１の四隅に下方から着脱可能に固定されてなる脚２とを有する。
【００２５】
天板１は、図１〜図１２に示すように、天板面を構成する化粧板１４と、この化粧板１４に上面側を覆われてなる天板本体たる芯材１１と、この芯材１１及び化粧板１４の周縁を包囲するエッジ部材１５と、芯材１１の下面１１ａ側四隅に取り付けられてなる脚２取付用の凹部１２とを具備してなる。化粧板１４及びエッジ部材１５、そして芯材１１の材質等については既存の種々の構成を利用し得るため、詳細な説明は省略する。また芯材１１には、下面１１ａの四隅において前記凹部１２を取り付けるための凹部取付部１１ｂを有してなる。またこの凹部取付部１１ｂには、後述する突っ張り部材１３０を固定するためのインサートナット１１ｂ１を設けてなる。そして凹部１２についての説明は後に詳述する。
【００２６】
脚２は、図１〜図１２に示すように、概略角柱状をなす脚本体２１と、この脚本体２１の上部において天板１を支持し得る天板支持部材２３と、この天板支持部材２３の上端において前記凹部１２に係り合うことにより天板１に対して強固に脚２を取り付けるための突部２２とを具備してなる。脚本体２１は、図９〜図１２に示すように、四角パイプ状をなす脚パイプ２１ａと、脚パイプ２１ａの上端付近に例えば溶接により固定されたナット部材２１ｂと、脚パイプ２１ａの下端に設けられた接地部材２１ｃとを有している。ナット部材２１ｂは脚本体２１の上端部付近の内面側に例えば溶接により固定された角板２１ｄと、この角板２１ｄの中央に溶接により下方から固定されたナット２１ｅとを有している。天板支持部材２３は、上面側において天板１からの荷重を受ける天板受け面２３ａと、上面側中央において上下に貫通させたボルト挿通孔２３ｃと、このボルト挿通孔２３ｃの近傍に設けられた当該ボルト挿通孔２３ｃより径が小さい雌ねじ孔と、天板１の隅部分のエッジ部材１５の表面から脚本体２１の外側表面に亘って連続するように設けられた連続面２３ｂとを有している。突部２２は、前記天板支持部材２３に対して、ボルト挿通孔２３ｃを挿通しつつナット部材２１ｂに螺合することにより脚本体２１に対して天板支持部材２３もろとも共締めボルト２４により共締めされる。またボルト挿通孔２３ｃ近傍に位置する雌ねじ孔に対して突部用ボルト２５によりさらに強固にネジ止めされてなる。なお接地部材２１ｃは、本実施形態では例えば円形シート状の緩衝材を脚パイプ２１ａの底面側に取り付けてなるものであるが勿論高さ寸法を調整可能なアジャスタを用いても、床面上を移動し得るキャスタを用いても良い。
【００２７】
しかして本実施形態に係るテーブルは、図３〜図１２に示すように、天板１に設けられた凹部１２と、この凹部１２に挿入すべく脚２に設けられた突部２２と、この突部２２を前記凹部１２内に固定するための固定機構１３とを備えてなるものであって、前記凹部１２が、嵌合用内側面１２ａと、互いに対向し少なくとも一方を内向き傾斜させた対をなす締付用内側面１２ｂとを備えたものであり、前記突部２２が、互いに対向する辺に設けられ前記嵌合用内側面１２ａにテーパ係合する対をなす嵌合用外側面２２ａと、互いに対向する辺に設けられ一方が前記凹部１２の内向き傾斜した一方の締付用内側面１２ｂである被当接面１２ｃに密接可能な対をなす締付用外側面２２ｂとを備えたものであり、前記固定機構１３が、前記凹部１２の他方の締付用内側面１２ｂたる被摺接面１２ｄと前記突部２２の他方の締付用外側面２２ｂである被押圧面２２ｄとの間に配設された突っ張り部材１３０を備えたものであり、この突っ張り部材１３０が、被摺接面１２ｄと被押圧面２２ｄとの間で突っ張って前記突部２２を前記凹部１２内に固定するロック状態（Ｐ）と、その突っ張り姿勢を解消して前記突部２２の前記凹部１２からの離脱を許容するロック解除状態（Ｑ）とを選択的に取り得るように構成されていることを特徴とするものである。
【００２８】
以下に、本実施形態においてロック状態（Ｐ）とロック解除状態（Ｑ）とを取り得る凹部１２及び突部２２、そして本実施形態では天板１側に設けられた固定機構１３について説明する。
【００２９】
凹部１２は、図４〜図６、図８〜図１２に示すように、天板１における芯材１１の下面１１ａの四隅に形成された凹部取付部１１ｂに対し、一枚の凹部１２に付き四本の取付ボルト１６により固定されてなる例えば板状をなす金属製の一体成形品である。この凹部１２は、一方よりの部分において矩形状にくり抜かれた突部収容部１２１と他方よりの部分において円形状にくり抜かれた機構取付部１２２とを有している。突部収容部１２１は、長辺側において互いに対向しその対向間隔が開口端側に向かって漸次広くなるように外向き傾斜させた対をなす前記嵌合用内側面１２ａと、一方の縁部近傍において内向き傾斜すなわちオーバーハング状に傾斜させた一方の締付用内側面１２ｂたる被当接面１２ｃとを有している。機構収容部１２２は、底面視中央に設けられたインサートナット１１ｂ１を中心として他方側に部分円弧状に形成された他方の締付用内側面１２ｂたる被摺接面１２ｄと、この被摺接面１２ｄから２カ所において突出させたロック側突起１２２ｂ並びに解除側突起１２２ｃとを有している。
【００３０】
突部２２は、図４〜図７、図９〜図１２に示すように、天板支持部材２３状にねじ止めされてなる例えば中実な金属製のものであり、対をなす嵌合用外側面２２ａと、締付用外側面２２ｂとを有している。嵌合用外側面２２ａは天板１の下面１１ａへ向けて斜め上方へ面することにより、前記天板１からの荷重を前記嵌合用内側面１２ａを介して受けるようにしている。また締付用外側面２２ｂは、凹部１２側の被当接面１２ｃに強く面接触し得る一方の締付用外側面２２ｂに相当する当接面２２ｃと、突っ張り部材１３０によって線接触或いは点接触しながら強く押圧され得る他方の締付用外側面２２ｂに相当する被押圧面２２ｄとを有している。
【００３１】
固定機構１３は、図２〜図６、図８〜図１２に示すように、芯材１１の下面１１ａにおける凹部取付部１１ｂの領域内に設けられたインサートナット１１ｂ１の位置を中心に設けられたものである。この固定機構１３は、インサートナット１１ｂ１に対し螺合される段付ボルト１３１と、この段付ボルト１３１によって天板１下面１１ａに取り付けられて平面視及び底面視で回転可能に動作する突っ張り部材１３０とを有している。
【００３２】
しかして本実施形態では、図８〜図１２に示すように、この突っ張り部材１３０が、回転動作により前記他方の締付用内側面１２ｂである被摺接面１２ｄと前記他方の締付用外側面２２ｂである被押圧面２２ｄとの間で突っ張り動作するようにしている。この突っ張り部材１３０は、ロック状態（Ｐ）及びロック解除状態（Ｑ）との間で回転可能に動作し得るものである。そして本実施形態では前記ロック状態（Ｐ）から前記ロック解除状態（Ｑ）に至るまで常に被摺接面１２ｄに接することにより、この突っ張り部材１３０は、凹部１２に突部２２を挿入した状態で、ロック解除状態（Ｑ）から少しでも回転させた状態では常に被摺接面１２ｄに接することで、前記突部２２の被押圧面２２ｄに接し得るときは常に被摺接面１２ｄに接するようにしている。突っ張り部材１３０は、具体的には、常に被摺接面１２ｄに接している摺接面１３０ａと、前記ロック解除状態（Ｑ）で被当接面１２ｃから退避する退避面１３０ｂと、前記ロック状態（Ｐ）で被押圧面２２ｄを押圧する押圧面１３０ｄと、これら退避面１３０ｂと押圧面１３０ｄとの間に介在する移行面１３０ｃと、当該突っ張り部材１３０自体の最外縁において外方に突出する操作端１３０ｇを有する操作レバー１３０ｅと、この操作レバー１３０ｅ近傍において外方に突出することで突っ張り部材１３０自体の動作範囲を決定する位置決め突起１３０ｆとを有している。摺接面１３０ａ及び当接面２２ｃは、互いに突っ張り部材１３０の回転中心から等しい径を有する部分円弧状に形成されている。退避面１３０ｂは、突っ張り部材１３０の外縁を直線状に切り欠いた形状をなし、ロック解除状態（Ｑ）では突部２２の被押圧面２２ｄに対向し得るように形成されている。そして移行面１３０ｃは、押圧面１３０ｄから径が小さくなるように切り欠いた形状を有しながら湾曲し、前記退避面１３０ｂに連続する形状をなす。これにより移行面１３０ｃはロック解除状態（Ｑ）からロック状態（Ｐ）に至る動作において、漸次被押圧面２２ｄ側、すなわち一方側へ近接していくようになっている。
【００３３】
以下、固定機構１３によって突っ張り部材１３０をロック解除状態（Ｑ）として天板１に対する脚２の取り付けを行い、ロック状態（Ｐ）として脚２を強固に固定するまでの態様について、図４〜図６、図９〜図１２に示して説明する。
【００３４】
まず、図４及び図９のように、まず突っ張り部材１３０は、操作端１３０ｇを脚２から最も遠ざけるように操作レバー１３０ｅを位置付けたロック解除状態（Ｑ）としておく。このとき突っ張り部材１３０の位置決め突起１３０ｆは、機構取付部１２２に突設させてなる解除側突起１２２ｃに当接した状態となっている。この状態から図１０に示すように脚２の上端に取り付けられた突部２２を凹部１２における突部収容部１２１へ向けて挿入する。そして同図に示す状態では、突っ張り部材１３０の摺接面１３０ａは被摺接面１２ｄに接しているものの、突部２２の当接面２２ｃが被当接面１２ｃに当たるか又はごく近接した状態となっており、突部２２の被押圧面２２ｄは突っ張り部材１３０の退避面１３０ｂに対して対向し、離間した状態となっている。同図に示す状態から操作端１３０ｇを摘む等して操作レバー１３０ｅを回転させると、移行面１３０ｃが被押圧面２２ｄに対面し、被押圧面２２ｄに対し漸次近接するか、或いは凹部１２の被当接面１２ｃが当接面２２ｃと離間している場合には前記被押圧面２２ｄを漸次押圧していく。そして図１１に示すロック状態（Ｐ）では位置決め突起１３０ｆがロック側突起１２２ｂに当接するとともに突っ張り部材１３０は押圧面１３０ｄが被押圧面２２ｄに当接し、摺接面１３０ａが被摺接面１２ｄに接した状態となっている。このとき、突部２２の当接面２２ｃは凹部１２の被当接面１２ｃに隙間無く当接した状態となっている。そして被当接面１２ｃは上向きに傾斜しているので、突っ張り部材１３０からの押圧により突部２２には上向きの力が働いている。その結果、図１２に示すように、突部２２は突っ張り部材１３０からの押圧により嵌合用外側面２２ａが上側に位置する嵌合用内側面１２ａに強く押圧されることになり、突部２２は強固に位置決めされる。換言すれば突っ張り部材１３０が凹部１２と突部２２の間で強固に突っ張った状態となる。なおかかるロック状態（Ｐ）では、操作レバー１３０ｅは脚２に近接した位置で天板１内方に向かって位置付けられるため、外側から操作端１３０ｇが干渉され難い状態となっている。
【００３５】
また、図１１、図１２に示すロック状態（Ｐ）では、天板支持部材２３の荷重受け面が前記凹部１２及び前記芯材１１からの荷重をそれぞれ受けるようにすることで、芯材１１の凹部取付部１１ｂに過度の負荷が掛かることも有効に回避されている。
【００３６】
以上のような構成とすることにより、本実施形態に係るテーブルは、ロック状態（Ｐ）としたとき突部２２を凹部１２に固定する構成要素の取付強度や組み付け強度を不要に強固とする必要がなくとも、突っ張り部材１３０自体に強度があれば突っ張りによりロック状態（Ｐ）での強固な係り合いが実現されている。その結果、簡素な構造であっても脚２の強固な取り付けを実現したテーブルを実現している。
【００３７】
ロック状態（Ｐ）とロック解除状態（Ｑ）との間の操作時は常に突っ張り部材１３０の取付箇所が外力や操作時の負荷に対して強くなるような構成とするために本実施形態では、前記突っ張り部材１３０が、具体的には摺接面１３０ａが前記他方の嵌合用外側面２２ａに接し得るときは常に前記他方の締付用内側面１２ｂに接するようにしている。
【００３８】
外力や操作時に掛かる負荷に対して強度の高い突っ張り部材１３０を構成するために本実施形態では、前記突っ張り部材１３０が、前記ロック状態（Ｐ）から前記ロック解除状態（Ｑ）に至るまで常に前記他方の締付用内側面１２ｂである被摺接面１２ｄに接しながら動作する摺接面１３０ａと、前記ロック解除状態（Ｑ）で前記他方の締付用外側面２２ｂである被押圧面２２ｄから退避する退避面１３０ｂと、前記ロック状態（Ｐ）で前記他方の締付用外側面２２ｂである被押圧面２２ｄを押圧する押圧面１３０ｄとを有した構成を適用している。
【００３９】
またロック状態（Ｐ）とロック解除状態（Ｑ）との間の操作時に急に負荷が掛かることを回避するために本実施形態では、前記退避面１３０ｂと前記押圧面１３０ｄとの間に前記ロック解除状態（Ｑ）から前記ロック状態（Ｐ）へ動作するに従って前記他方の締付用外側面２２ｂである被押圧面２２ｄを漸次押圧するか或いは漸次近接する移行面１３０ｃを設けている。
【００４０】
簡素な構成としつつ精度が高い固定機構１３となるように本実施形態では、前記突っ張り部材１３０が、回転動作により前記他方の締付用内側面１２ｂと前記他方の締付用外側面２２ｂとの間で突っ張り動作する態様を適用している。
【００４１】
そして本実施形態では、この突っ張り部材１３０自体の最外縁において外方に突出する操作端１３０ｇを有する操作レバー１３０ｅを設けて、てこの原理を利用した軽い操作感を実現している。また前記ロック状態（Ｐ）で前記操作端１３０ｇを回転中心から天板１内方に向かって位置付けておくことで外部からの衝撃により不意にレバーが動いてしまうことを有効に回避している。
【００４２】
また脚２と天板１との組み付け強度をより高く支持するとともに、天板１の荷重に対する強度を有効に向上させるために本実施形態では、前記嵌合用外側面２２ａを、前記天板１からの荷重を前記嵌合用内側面１２ａを介して受けるようにしている。
【００４３】
上記の構成に加え、本実施形態では脚２が天板１をより強固に支持し得るようにするために、前記天板支持部材２３が前記天板１の隅部を前記天板受け面２３ａに支持させた前記ロック状態（Ｐ）で前記天板１の外側面から脚本体２１上部の外側面に亘って連続する連続面２３ｂを設けている。これにより、より大きな面積で天板１を支持し得る脚２を実現している。
【００４４】
そして本実施形態では、天板１からの荷重の局所への集中を避けるために前記天板支持部材２３が前記凹部１２及び前記芯材１１からの荷重をそれぞれ受けるようにしている。
【００４５】
以上、本発明の実施形態について説明したが、各部の具体的な構成は、上述した実施形態のみに限定されるものではなく、本発明の趣旨を逸脱しない範囲で種々変形が可能である。
【００４６】
例えば上記実施形態によれば天板と脚とが別体となり得る態様を開示したが勿論、前記脚が前記天板本体に対し上端部を中心に回動することにより折りたたみうる折り畳み機構を有するものに本発明を適用しても良い。その場合、前記突っ張り部材の突っ張る方向が前記回動動作の軸が延伸する方向とすれば、突っ張り部材の動作が折り畳み機構の動作に干渉することを回避し得る。
【００４７】
また例えば、上記実施形態では突っ張り部材を擁する固定機構を天板側に設けた態様を開示したが勿論、固定機構を脚に設けた態様としてもよい。また上記実施形態では突っ張り部材を水平に回転動作させる態様を開示したが勿論突っ張り部材を直線的にスライド動作させる態様であっても良い。また回転動作、スライド動作に拘わらず、水平方向や鉛直方向等、動作方向も限定されるものではない。さらに上記実施形態では、単一の天板に対して独立した四本の脚を取り付けた態様を開示したが、勿論、取り付ける脚の数や位置、また脚同士に別途横架材を取り付ける態様を妨げない。また天板や脚のその他の具体的な態様は上記実施形態のものに限定されることはなく、既存のものを含め、種々の態様のものを適用することができる。
【００４８】
その他、各部の具体的構成についても上記実施形態に限られるものではなく、本発明の趣旨を逸脱しない範囲で種々変形が可能である。
【産業上の利用可能性】
【００４９】
本発明はオフィス等で好適に用いられ得るテーブルとして利用することができる。
【符号の説明】
【００５０】
１…天板
１２…凹部
１２ａ…嵌合用内側面
１２ｂ…締付用内側面
１２ｃ…一方の締付用内側面（被当接面）
１２ｄ…他方の締付用内側面（被摺接面）
１３…固定機構
１３０…突っ張り部材
１３０ａ…摺接面
１３０ｂ…退避面
１３０ｃ…移行面
１３０ｄ…押圧面
２２…突部
２２ａ…嵌合用外側面
２２ｂ…締付用外側面
２２ｃ…一方の締付用外側面（当接面）
２２ｄ…他方の締付用外側面（被押圧面）
２３…天板支持部材
２３ａ…天板受け面
２３ｂ…連続面
Ｐ…ロック状態
Ｑ…ロック解除状態
【図１】
2014100189.tif 000003
【図２】
2014100189.tif 000004
【図３】
2014100189.tif 000005
【図４】
2014100189.tif 000006
【図５】
2014100189.tif 000007
【図６】
2014100189.tif 000008
【図７】
2014100189.tif 000009
【図８】
2014100189.tif 000010
【図９】
2014100189.tif 000011
【図１０】
2014100189.tif 000012
【図１１】
2014100189.tif 000013
【図１２】
2014100189.tif 000014